(57)【要約】【課題】極めて頑強で、例えば落石や土砂崩れが想定される危険な地域や火山地区等において、救援活動や事前調査等の活動拠点として用いることができる堅牢なユニットハウスの提供を目的とする。【解決手段】ユニットハウスの各ユニットＰの屋根及び外壁のパネルを鉄板にて設ける。各ユニットＰ内に給排気一体型換気扇１９を配置する。室内の酸素と二酸化炭素の濃度を検知する検知器を配置して給排気一体型換気扇１９に連動せしめる。各検知器の値によって給排気一体型換気扇１９が自動的に給排気するように設ける。給排気一体型換気扇１９に連結した換気用ダクト２０を床下から屋外に配する。ユニットハウスの一側面にドアを配置し、反対側面に非常用の脱出口扉１４を一個又は複数個設ける。【選択図】図１
0003109839.tif 000002
【実用新案登録請求の範囲】
【請求項１】
鉄骨材のフレームにパネルを組み付けて箱型のユニットを形成し、該ユニットを複数個連結して居住空間を設けるユニットハウスにおいて、該ユニットの屋根及び外壁のパネルを鉄板にて設けたことを特徴とする堅牢なユニットハウス。
【請求項２】
前記ユニットハウスの各ユニット内に給排気一体型換気扇を配置すると共に、室内の酸素と二酸化炭素の濃度を検知する検知器を配置して給排気一体型換気扇に連動せしめ、該検知器の値によって給排気一体型換気扇が自動的に給排気するように設け、一方、給排気一体型換気扇に連結した換気用ダクトを床下から屋外に配した請求項１記載の堅牢なユニットハウス。
【請求項３】
前記ユニットハウスの一側面にドアを配置し、反対側面に非常用の脱出口扉を一個又は複数個設けた請求項１又は２記載の堅牢なユニットハウス。
【考案の詳細な説明】
【技術分野】
【０００１】
本考案は、例えば落石や土砂崩れが想定される危険な地域や火山地区、あるいは台風等の自然災害が多発する地域において、救援活動や事前調査の活動拠点などとして用いられる堅牢なユニットハウスに関するものである。
【背景技術】
【０００２】
ユニットハウスは、主に、鉄骨や木材を材料とした屋根、床、柱のフレームに断熱機能を備えたパネルを組み合わせることにより、箱型の居住空間を提供する工業製品である。このようなユニットハウスは、一般的な住居地区や工業地域において、簡単な事務所や仮設住宅などとして現在広く使用されている。
【０００３】
特許文献１に記載された考案は、この種のユニットルームの構造強化を目的とする考案で、特に壁パネルのはらみを防止できるようにした構造が提案されている。この特許文献１では、天井パネルにランナー材とスタッド材とを設けて強固に形成し、壁パネルの上部内側面及び間仕切りパネルの上端面に固定する構造を採用している。
【特許文献１】実開平６−８７５０３号公報
【考案の開示】
【考案が解決しようとする課題】
【０００４】
ところが、従来のユニットハウスでは、一般的な居住地域や工業地域での使用を予定しているが、火山地区や落石、土砂崩れが想定されるような危険な地域での使用は予定されていなかった。
【０００５】
例えば、特許文献１に記載された考案のように、壁パネルのはらみを防止するといった一部の強度を高める考案は提案されているが、危険を伴う特殊な地域で使用する目的で、ユニットハウス全体の強度を高めたものはこれまで提案されていない。
【０００６】
しかしながら、自然災害が多発している現状において、落石や土砂崩れが想定される危険な地域や火山地区等において、事前調査や救援活動等の業務は増加する傾向にあり、このような危険な業務をできるだけ安全に遂行できる拠点となるユニットハウスが求められている。
【０００７】
そこで本考案は、上述の課題を解消すべく案出されたもので、極めて頑強で、例えば落石や土砂崩れが想定される危険な地域や火山地区、あるいは台風等の自然災害が多発する地域において、事前調査や救援活動等の拠点として用いることができる堅牢なユニットハウスの提供を目的とするものである。
【課題を解決するための手段】
【０００８】
本考案の第１の手段は、鉄骨材のフレームにパネルを組み付けて箱型のユニットを形成し、該ユニットを複数個連結して居住空間を設けるユニットハウスにおいて、該ユニットＰの屋根及び外壁のパネルを鉄板にて設けたことにある。
【０００９】
第２の手段は、前記ユニットハウスの各ユニットＰ内に給排気一体型換気扇１９を配置すると共に、室内の酸素と二酸化炭素の濃度を検知する検知器を配置して給排気一体型換気扇１９に連動せしめ、該検知器の値によって給排気一体型換気扇１９が自動的に給排気するように設け、一方、給排気一体型換気扇１９に連結した換気用ダクト２０を床下から屋外に配している。
【００１０】
第３の手段は、前記ユニットハウスの一側面にドアを配置し、反対側面に非常用の脱出口扉１４を一個又は複数個設けたことを課題解消のための手段とする。
【考案の効果】
【００１１】
本考案の請求項１により、ユニットハウスの屋根及び外壁のパネルを鉄板にて設けたことにより、落石や土砂等の外力に耐えることができる。この結果、落石や土砂崩れが想定される危険な地域や火山地区、あるいは台風等の自然災害が多発する地域において、事前調査や救援活動等の拠点として用いることができる。
【００１２】
請求項２によると、検知器に連動する給排気一体型換気扇１９が自動的に給排気するので室内の酸欠を防止し、密封性の高い室内環境を安全に保つことが可能である。しかも、給排気用の換気用ダクト２０を床下から屋外に配しているので、従来の壁面を通した換気に伴う壁面強度の低下も生じない。また、給排気一体型換気扇１９や検知器は、各ユニットＰに設置しているので、一部の給排気一体型換気扇１９が機能しない場合でも、他の給排気一体型換気扇１９等が補助的に機能するので、室内の安全性を更に高めている。
【００１３】
請求項３では、たとえ土砂等がドアを塞いでしまった場合でも、反対側の脱出口扉１４から脱出することが可能になり、本考案ユニットハウスの安全性を高めている。
【００１４】
このように本考案によると、極めて頑強で、例えば落石や土砂崩れが想定される危険な地域や火山地区、あるいは台風等の自然災害が多発する地域において、救援活動や事前調査等の活動拠点として用いることができるなどといった有益な種々の効果を奏するものである。
【考案を実施するための最良の形態】
【００１５】
本考案の最良の形態は、ユニットハウスを形成する各ユニットＰの屋根及び外壁のパネルを鉄板にて設け、各ユニットＰ内に給排気一体型換気扇１９を配置すると共に、室内の酸素と二酸化炭素の濃度を検知する検知器を配置して給排気一体型換気扇１９に連動せしめる。該検知器の値によって給排気一体型換気扇１９が自動的に給排気するように設け、給排気一体型換気扇１９に連結した換気用ダクト２０を床下から屋外に配する。ユニットハウスの一側面にドアを配置し、反対側面に非常用の脱出口扉１４を一個又は複数個設けることで、当初の目的を達成するものである。
【実施例】
【００１６】
本考案ユニットハウスは、鉄骨材のフレームにパネルを組み付けて箱型のユニットＰを形成し、該ユニットを複数個連結して居住空間を設けたものである。図１に示すユニットハウスは、４個のユニットＰを組み合わせている。各ユニットＰの重量を、それぞれトラック輸送可能な重量に設定している。すなわち、トラックの最大積載量が８ｔの場合、ユニットＰ単体の重量を７ｔ程度に設定するものである。また、各ユニットＰは、屋根妻連結部材１、屋根桁連結部材２、側面連結部材３、屋根センター連結部材４を介して連結されている（図２参照）。これらの連結部は、いずれも鉄板にて形成されており、各連結部の強度を高めている。また、風雨の侵入を防止するため、装着面にパッキンやコーキング等の防水手段を施している。図中、符号５はエアコン室外機であり、各ユニットＰに設けている。
【００１７】
次に、図３に基づいて本考案ユニットハウスの概要を説明する。符号６は鉄骨床フレームであり、この鉄骨床フレーム６に鉄骨柱７が立設されている。更に、鉄骨柱７の上端部に鉄骨屋根フレーム８が架設され、全体が鉄骨構造を成す。そして、鉄骨屋根フレーム８上に防御屋根鉄板９が溶接されている。この防御屋根鉄板９の厚みは、重量の制限から9mm〜15mmの範囲が適当であるが、災害等の危険想定レベルにより変更することも可能である。更に、外壁は防御外壁鉄板パネル１０を連設する方式となっており、各パネルのつなぎ目に鉄板製の外壁つなぎ部材１１を配している。これら防御外壁鉄板パネル１０や外壁つなぎ部材１１に使用する鉄板の厚みも通常9mm〜15mmの範囲とする。同図中、正面にドア１２が設けられている。このドア１２も堅牢な鉄板で覆われている。符号１３は、各ユニットＰを吊り上げる際の吊り具で、各ユニットＰにそれぞれ４個装着している。
【００１８】
図４は、ドア１２を設けた側面の反対側面を示す図で、ドア１２が使用不能になった場合や、ドア１２側が危険な状況に晒された場合に使用する脱出口扉１４が設けられている。この脱出口扉１４は、脱出口用蝶番１５で直接各ユニットＰに設けられている。尚、この脱出口扉１４は、外側と内側との二重構造になっている（図６参照）。
【００１９】
図５は、各ユニットＰ内の空調システムについて示している。すなわち、各ユニットＰ内には、酸素検知器１６と二酸化炭素検知器１７とを配置しており、検知器用電源盤１８に接続されている。更に、これらの検知器に連動する給排気一体型換気扇１９が備えられ、各検知器が示す値により自動的に作動するように設けている。すなわち、各検知器は、検知した値が正常値から外れた場合に、給排気一体型換気扇１９が作動するように設定されている。また、この作動と共に、警報を発するように設けることで、居住者に注意を促すことができる。
【００２０】
給排気一体型換気扇１９に接続された換気用ダクト２０は、床下を経由して屋外に配している。これは、換気用ダクト２０を壁面経由で配した場合に、壁面部分の強度が低下するのを防止するためである。換気用ダクト２０の外部先端は設置状況に応じて高さや向きを任意に設定するものとなる。図５に示す符号２１は外壁パネル用断熱材で、符号２２は屋根用断熱材を示している。また、図示していないが同様の断熱材を床下にも装着しており、これらの断熱材で本考案ユニットハウスの保温効果を高めている。
【００２１】
尚、本考案における図示例の各構成は、本考案の一実施例に過ぎず、本考案の要旨を逸脱しない範囲において、形状、寸法等の設計変更、材質の転換及び形態の変更など、現在知られている技術範囲で自由に変更することができるものである。
【図面の簡単な説明】
【００２２】
【図１】本考案ユニットハウスの一実施例を示す斜視図である。
【図２】本考案ユニットの位置実施例を示す斜視図である。
【図３】本考案ユニットハウスの正面図である。
【図４】本考案ユニットハウスの背面図である。
【図５】本考案ユニットの縦断面図である。
【図６】本考案ユニットハウスの平断面図である。
【符号の説明】
【００２３】
１  屋根妻連結部材
２  屋根桁連結部材
３  側面連結部材
４  屋根センター連結部材
５  エアコン室外機
６  鉄骨床フレーム
７  鉄骨柱
８  鉄骨屋根フレーム
９  防御屋根鉄板
１０  防御外壁鉄板パネル
１１  外壁つなぎ部材
１２  ドア
１３  吊り具
１４  脱出口扉
１５  脱出口用蝶番
１６  酸素検知器
１７  二酸化炭素検知器
１８  検知器用電源盤
１９  給排気一体型換気扇
２０  換気用ダクト
２１  外壁パネル用断熱材
２２  屋根用断熱材
【図１】
0003109839.tif 000003
【図２】
0003109839.tif 000004
【図３】
0003109839.tif 000005
【図４】
0003109839.tif 000006
【図５】
0003109839.tif 000007
【図６】
0003109839.tif 000008